(57)【特許請求の範囲】
【請求項１】
メダルの下面を研磨するための下方ブラシ毛を上面に植毛した下側ブラシ盤とメダルの上面を研磨するための上方ブラシ毛を下面に植毛した上側ブラシ盤を所定の間隔で対向させて設け、前記上側ブラシ盤と前記下側ブラシ盤の間にメダルを投入するメダル投入口を設け、前記上側ブラシ盤と前記下側ブラシ盤の外周側を囲む筒体を設け、同筒体の上下に下側ブラシ盤の下方を外周側から所定の内周側までをカバーする環状の下面部と下側ブラシ盤の上方を外周側から所定の内周側までをカバーする環状の上面部を設けてカバーを形成し、同カバーの下面部には排水用孔を設け、前記上側ブラシ盤と前記下側ブラシ盤の間のメダルを排出するメダル排出口を前記筒体に設け、下側ブラシ盤を回転させる回転装置を設け、上方ブラシ毛と下方ブラシ毛の対向部分に洗浄水を給水し、メダルを洗浄水に濡らした状態で上側ブラシ盤に対し下側ブラシ盤を相対的に回転させて上方ブラシ毛と下方ブラシ毛でメダルの洗浄研磨を行い、しかも下方ブラシ毛及び上方ブラシ毛を環状に植毛し、下方ブラシ毛の上端の高さが下方ブラシ毛を植毛していない下側ブラシ盤の中央部分とほぼ同じ高さになるようにし、メダル投入口を下側ブラシ盤の中央部分の上方に設け、メダル投入口から洗浄水を給水するようにメダル投入口で開口した給水管を設け、投入されたメダルを前記中央部分で受けて上方ブラシ毛と下方ブラシ毛の間に移動させるようにしたメダルの洗浄研磨装置。
【請求項２】
メダル排出口から排出されたメダルを吸水面上で滑らせて下方に送るシュートを設け、前記吸水面の下方に吸水面からの水を受けるシュート排水路を設けた請求項１に記載のメダルの洗浄研磨装置。
【請求項３】
メダル投入口が、上側ブラシ盤の中央に貫通させるように設け、同メダル投入口の周縁から下側ブラシ盤に向って拡径した環状板を設け、同環状板の下端と下側ブラシ盤の間の間隔をメダルの厚さよりやや大きくして上側ブラシ盤の中央からメダルを一枚ずつ遠心力で上方ブラシ毛と下方ブラシ毛の間に送るようにした請求項１に記載のメダルの洗浄研磨装置。
【請求項４】
メダル排出口から排出されたメダルを吸水面上で滑らせて下方に送るシュートを設け、前記吸水面の下方に吸水面からの水を受けるシュート排水路を設けた請求項３に記載のメダルの洗浄研磨装置。
【請求項５】
メダル排出口から排出されたメダルを水切り孔を多数備えた水切り板上で滑らせて下方に送るシュートを設け、前記水切り板の下方に水切り板からの水を受けるシュート排水路を設けた請求項１又は３いずれかに記載のメダルの洗浄研磨装置。
【請求項６】
メダル排出口から排出されたメダルを吸水面上で滑らせて下方に送るシュートを設け、前記吸水面を水切り孔を多数備えた水切り板で支持し、同水切り板の下方に水切り板からの水を受けるシュート排水路を設けた請求項１又は３いずれかに記載のメダルの洗浄研磨装置。
【発明の詳細な説明】
【０００１】
【発明の属する技術分野】
本発明は、遊技用のメダル・コイン・硬貨（本明細書中メダルと総称する。）の表面を洗浄研磨して油・脂・ゴミ・汚れを除去するメダルの洗浄研磨装置に関する。
【０００２】
【従来の技術】
従来においてメダルに付着した油・脂・ゴミ・汚れを除去するためには、メダルの研磨装置が用いられていた。メダルの研磨装置は、メダルの表面に移動するベルト面を押し当てるものや、移動するブラシを押し当てるものがあった。しかし、乾式であるために、研磨面の摩耗が大きく、定期的に研磨面として用いたベルトやブラシなどを交換する必要があった。また、研磨による摩耗粉がメダルに付着してしまうことがあった。このまま再利用すると、人の手に摩耗粉が付着したり、設備中でのメダル詰まりの原因となるため好ましいものではなかった。
【０００３】
【発明が解決しようとする課題】
本発明が解決しようとする課題は従来のこれらの問題を解消し、メダルに付着したゴミ，汚れ，油，脂を確実に除去し、除去したゴミや汚れなどの再付着を防ぎ、長い間使用できるメダルの洗浄研磨装置を提供することにある。
【０００４】
【課題を解決するための手段】
かかる課題を解決した本発明の構成は、
１）  メダルの下面を研磨するための下方ブラシ毛を上面に植毛した下側ブラシ盤とメダルの上面を研磨するための上方ブラシ毛を下面に植毛した上側ブラシ盤を所定の間隔で対向させて設け、前記上側ブラシ盤と前記下側ブラシ盤の間にメダルを投入するメダル投入口を設け、前記上側ブラシ盤と前記下側ブラシ盤の外周側を囲む筒体を設け、同筒体の上下に下側ブラシ盤の下方を外周側から所定の内周側までをカバーする環状の下面部と下側ブラシ盤の上方を外周側から所定の内周側までをカバーする環状の上面部を設けてカバーを形成し、同カバーの下面部には排水用孔を設け、前記上側ブラシ盤と前記下側ブラシ盤の間のメダルを排出するメダル排出口を前記筒体に設け、下側ブラシ盤を回転させる回転装置を設け、上方ブラシ毛と下方ブラシ毛の対向部分に洗浄水を給水し、メダルを洗浄水に濡らした状態で上側ブラシ盤に対し下側ブラシ盤を相対的に回転させて上方ブラシ毛と下方ブラシ毛でメダルの洗浄研磨を行い、しかも下方ブラシ毛及び上方ブラシ毛を環状に植毛し、下方ブラシ毛の上端の高さが下方ブラシ毛を植毛していない下側ブラシ盤の中央部分とほぼ同じ高さになるようにし、メダル投入口を下側ブラシ盤の中央部分の上方に設け、メダル投入口から洗浄水を給水するようにメダル投入口で開口した給水管を設け、投入されたメダルを前記中央部分で受けて上方ブラシ毛と下方ブラシ毛の間に移動させるようにしたメダルの洗浄研磨装置
２）  メダル排出口から排出されたメダルを吸水面上で滑らせて下方に送るシュートを設け、前記吸水面の下方に吸水面からの水を受けるシュート排水路を設けた前記１）に記載のメダルの洗浄研磨装置
３）  メダル投入口が、上側ブラシ盤の中央に貫通させるように設け、同メダル投入口の周縁から下側ブラシ盤に向って拡径した環状板を設け、同環状板の下端と下側ブラシ盤の間の間隔をメダルの厚さよりやや大きくして上側ブラシ盤の中央からメダルを一枚ずつ遠心力で上方ブラシ毛と下方ブラシ毛の間に送るようにした前記１）に記載のメダルの洗浄研磨装置
４）  メダル排出口から排出されたメダルを吸水面上で滑らせて下方に送るシュートを設け、前記吸水面の下方に吸水面からの水を受けるシュート排水路を設けた前記３）に記載のメダルの洗浄研磨装置
５）  メダル排出口から排出されたメダルを水切り孔を多数備えた水切り板上で滑らせて下方に送るシュートを設け、前記水切り板の下方に水切り板からの水を受けるシュート排水路を設けた前記１）又は３）いずれかに記載のメダルの洗浄研磨装置
６）  メダル排出口から排出されたメダルを吸水面上で滑らせて下方に送るシュートを設け、前記吸水面を水切り孔を多数備えた水切り板で支持し、同水切り板の下方に水切り板からの水を受けるシュート排水路を設けた前記１）又は３）いずれかに記載のメダルの洗浄研磨装置
にある。
【０００５】
【作用】
本発明では、メダルをメダル投入口から下方ブラシ毛と上方ブラシ毛の間に投入する。上方ブラシ毛と下方ブラシ毛の対向部分には洗浄水を給水され、メダルは水に濡された状態となるのでこの状態で上側ブラシ盤と下側ブラシ盤を回転装置で相対的に回転させて上方ブラシ毛と下方ブラシ毛でメダルの洗浄研磨を行う。メダルは上面又は下面あるいは両面に遠心力を受けて筒体の内周に沿って洗浄研磨されながら移動し、筒体に設けられたメダル排出口より排出される。
環状の下方ブラシ毛の上端の高さが下方ブラシ毛を植毛していない下側ブラシ盤の中央部分とほぼ同じ高さになるようにし、メダル投入口を下側ブラシ盤の中央部分の上方に設け、メダル投入口で開口した給水管を設けたので、メダル投入口から洗浄水を供給し、中央部分から下方ブラシ毛を植毛している部分にスムーズにメダルを移動させることができる。
上側ブラシ盤の中央にメダル投入口を設け、メダル投入口の周縁から下側ブラシ盤に向って拡径した環状板を設けたものは、メダル投入口から向きを不整列な状態でメダルを投入できる。投入されたメダルは、環状板の下端と下側ブラシ盤の間から遠心力によって一枚ずつ上方ブラシ毛と下方ブラシ毛の間に送る。もしメダルが縦になった状態で環状板の下端と下側ブラシ盤の間を塞ぐような場合には、環状板は下側ブラシ盤に向って拡径しているので、遠心力によってメダル下端が外周側に引かれる状態になってメダル上端が中央側に向って倒れる。よって縦になったメダルが環状盤の下端と下側ブラシ盤の間を塞いだ状態を長い間保つことがない。
吸水面上でメダルを滑らせて下方に送るシュートを設け、吸水面の下方にシュート排水路を設けたものは、メダルの排出口から排出されたメダルに付着した水を吸水面で吸水して、メダルの洗浄研磨後の乾燥を短時間にできるようにし、吸水面で吸水した水が下方のシュート排水路から排出されるようにして吸水面の吸水性が保たれるようにできる。
水切り孔を多数備えた水切り板上でメダルを滑らせて下方に送るシュートを設け、水切り板の下方にシュート排水路を設けたものは、メダルの排出口から排出されたメダルに付着した水を水切り板の水切り孔から下方に送るようにして水切りを行い、メダルの洗浄研磨後の乾燥を短時間にできるようにし、水切り孔から下方に送った水が排水路から排水されるようにして水切り板の水切り性が保たれるようにできる。
吸水面上でメダルを滑らせて下方に送るシュートを設け、吸水面の下方に水切り板を設け、水切り板の下方にシュート排水路を設けたものは、メダルの排出口から排出されたメダルに付着した水を吸水面で吸水して、メダルの洗浄研磨後の乾燥を短時間にできるようにし、吸水面で吸水した水を水切り板の水切り孔から下方に送って排水路で排水されるようにして吸水面の吸水性が保たれるようにする。
【０００６】
【発明の実施の形態】
本発明のメダルの洗浄研磨装置は、単体で用いてもよいし、乾燥装置や他の装置と連結させて用いてもよい。
洗浄水は、水でも、水に洗浄用の薬剤を混ぜたものでもよい。
下方ブラシ毛及び上方ブラシ毛は、ブラシ状のものであれば、形状，太さ，材質はどのようなものでもよいがメダルの両面の油・脂・ゴミ・汚れが確実に除去できるものが望ましい。
筒体の内周と実施例の下側ブラシ盤のように用いる回転円盤の外周の間は、回転円盤の回転を妨げないように間隔が設けられるが、筒体の内周と回転円盤の間にメダルが落ち込まない寸法にするのが好ましい。  
【０００７】
【実施例】
本発明の各実施例について図面を参照して具体的に説明する。
実施例１（図１〜５参照）
図１〜５に示すのは、遊技設備で使用したメダルを再利用するために水洗浄・水研磨を行うメダルの洗浄研磨装置であって、下方ブラシ毛の上端の高さが下側ブラシ盤の中央部分とほぼ同じ高さになるようにし、メダル投入口が上側ブラシ盤の中央に貫通させるように設け、メダル投入口の周縁から下側ブラシ盤に向って拡径した環状板を設け、洗浄水を排出する排水路を設け、メダル排出口から排出されたメダルを吸水面上で滑らせて下方に送るシュートを設け、吸水面の下方に水切り孔を多数備えた水切り板を設け、水切り板の下方に排水路を設けたメダルの洗浄研磨装置の例である。
図１は実施例１のメダルの洗浄研磨装置の説明図である。図２は図１のＡ−Ａ断面図である。図３は実施例１のメダルの洗浄研磨装置の一部拡大断面図である。図４は実施例１のメダルの洗浄研磨装置の説明図である。図５は実施例１のメダルの洗浄研磨装置のシュートの断面図である。
図中、１はメダルの洗浄研磨装置、２は下側ブラシ盤、２ｂは下方ブラシ毛、３は上側ブラシ盤、３ａは送り部、３ｂは上方ブラシ毛、５は給水ホース、６はメダル投入口、７は環状板、８はカバー、８ａは筒体、８ｂはメダル排出口、８ｃは排水用孔、１０はシュート、１０ａは吸水シート、１０ｂは水切り板、１０ｃは水切り孔、１０ｄはシュート排水路、１２は回転軸、１３はベアリング、１４はシール体、１５はベアリングカバー、１６はプーリー、１７はプーリー、１８はベルト、１９はモーター部、２０はカバー、２０ａは折曲部分、２１は水受け、２２は排水口、ｍはメダルである。
【０００８】
実施例１のメダルの洗浄研磨装置１は、上側ブラシ盤を固定し、下側ブラシ盤をモーターで回転させるものである。
まず、円盤状の下側ブラシ盤２を設ける。下側ブラシ盤２は３枚の円盤を重ね合わせて複数箇所をねじ止めで取り付けたもので、図２に示すように中央から所定の長さ外周までの長さ部分を同じ高さの平面にし、外周端から所定の長さ内周側までの環状部分を中央部分より高さを低くしている。次に環状に下方ブラシ毛２ｂを多数植毛する。下方ブラシ毛２ｂの上端は、下側ブラシ盤２の中央部分の高さとほぼ同じになるようにしている。
次に下側ブラシ盤２の中心に下方に伸びた回転軸１２を設ける。回転軸１２の所定位置２箇所にベアリング１３を圧入して取り付ける。次に筒状で下方の開口部にリング状の底部を設けたベアリングカバー１５を設ける。このベアリングカバー１５の上方の開口から回転軸１２の下端を挿入してベアリングカバー１５の下方開口から突出させるようにして、回転軸１２に取り付けたベアリング１３の外周をベアリングカバー１５の内周に挿入して回転軸１２及びベアリング１３をベアリングカバー１５に取り付ける。これにより回転軸１２はベアリング１３によって回転自在となる。ベアリングカバー１５の上方開口からは、回転軸１２の上端が突出している。リング状のシール体１４の中央の穴部分にこの回転軸１２の上端を貫通させるようにして、ベアリングカバー１５の内部と上方外部を水密状にシールする。
次に平面板状のカバー２０を設ける。カバー２０の外周端部分は下方に向かうよう折曲させている。このカバー２０の中央部分には、貫通穴を設ける。さらにカバー２０の下面の貫通穴の穴周縁を上方に折曲する折曲部分２０ａを設ける。
次にベアリングカバー１５の上端近くに鍔部を設けて、回転軸１２の上端がカバー２０に設けた貫通穴から上方に突出するようにして、カバー２０の貫通穴外周の肉厚部分にベアリングカバー１５の鍔部を接するようにしてねじ止めでベアリングカバー１５をカバー２０に取り付ける。次に下側ブラシ盤２の下面に所定深さの取付穴を設け、その取付穴に回転軸１２の上端を圧入し、一部を溶着して回転軸１２と下側ブラシ盤２が一体として回転するように取り付ける。
次に下側ブラシ盤２の外周側に筒状の筒体８ａを有し、下側ブラシ盤２の下方を外周側から所定の内周側までをカバーする環状の下面部と下側ブラシ盤２の上方を外周側から所定の内周側までをカバーする環状の上面部を有するカバー８を設ける。カバー８の下面部には排水用孔８ｃを設ける。
次に下側ブラシ盤２の上方でカバー８の上面部の下方で筒体８ａの内周側に下側ブラシ盤２に所定の間隔で対向するように上側ブラシ盤３を設ける。上側ブラシ盤３は図２に示すように下側ブラシ盤２に対して所定量傾斜させる。次に上側ブラシ盤３の下面に環状に上方ブラシ毛３ｂを多数植毛する。
【０００９】
次に上側ブラシ盤３の中央の穴に沿って下方に伸びる筒状の環状板７を設ける。環状板７は上側ブラシ盤３の中央の穴の下端から下方に行くに従って拡径させた形状とし、環状板７の下端は、下側ブラシ盤２の上面に対してメダルｍの厚さより大きく、メダルｍを２枚重ねた厚さより小さい間隙を設ける形状とする。次に環状板７の上端は外側に広がる平面上にして上側ブラシ盤３の上面に固定する。次に上側ブラシ盤３の外周部分は、カバー８の筒体８ａの内周に接するようにして水密状にシールし、カバー８の上面部は、上側ブラシ盤３の上面との間に空間を形成し、カバー８の上面部の内周端を上側ブラシ盤３に固定した環状板７の上端平面部分に水密状に接合する。このカバー８の上面部から環状板７の円筒部分をメダル投入口６とする。次に図２に示すようにメダル投入口６に上方から洗浄水を給水する給水ホース５を設ける。給水ホース５のもう一端は、洗浄水のタンクから洗浄水を送るポンプの吐出口に取り付けられる。
次に左右に長い樋状の水受け２１を設ける。水受け２１の左右端には側板を設けて、水を一時的に貯えることができるようにする。次に図２に示すようにカバー２０下面の肉厚部及びベアリングカバー１５より大きい貫通穴を設け、貫通穴から水がこぼれないよう筒状にした部分を設ける。次にこの水受け２１に設けた貫通穴から回転軸１２の下端が突出するようにしてカバー２０を水受け２１に取り付ける。これによって下側ブラシ盤２及び上側ブラシ盤３等もカバー２０とともに水受け２１に取り付けられる。次に水受け２１の左端近くに水受け２１で受けた水を下方に流すための排水口２２を設ける。次に水受け２１から下方に向って突出させた回転軸１２の側方にモーター部１９を設ける。モーター部１９は水受け２１の下面に取り付け、出力軸にはプーリー１７を設ける。次に水受け２１から下方に向って突出させた回転軸１２の下端にプーリー１７と同じ高さ位置となるようにプーリー１６を設ける。次にプーリー１６とプーリー１７にベルト１８をかけ渡し、プーリー１６とプーリー１７が連動できるようにする。このように実施例１ではモーター部１９，プーリー１６，１７，ベルト１８で回転装置としている。
次に図４に示すように筒体８ａの一部を開口してメダル排出口８ｂを設ける。次に上側ブラシ盤３の下面のメダル排出口８ｂに近い部分に上方ブラシ毛３ｂを植毛しない送り部３ａを設ける。
次にメダル排出口８ｂから排出されるメダルを下方に送るシュート１０を設ける。シュート１０は図５に示すように搬送面として吸水シート１０ａを設けている。さらに吸水シート１０ａの下方に水切り孔１０ｃを多数備えた水切り板１０ｂを設け、水切り板１０ｂの下方にはシュート排水路１０ｄを設ける。
【００１０】
この実施例１のメダルの洗浄研磨装置１を使用するには、まずモーター部１９を駆動させる。するとモーター部１９の出力軸に取り付けたプーリー１７が回転し、ベルト１８によってプーリー１６が連動して回転する。プーリー１６が回転することによって取り付けた回転軸１２が回転し、回転軸１２が回転することによって回転軸１２に取り付けた下側ブラシ盤２が回転する。次に図示しない洗浄水のタンクのポンプによって給水ホース５に洗浄水を送らせる。洗浄水ｗは給水ホース５の先端よりメダル投入口６に噴出される。洗浄水ｗは、下側ブラシ盤２の回転により遠心力によって外周に送られる。外周に送られた洗浄水ｗは下方ブラシ毛２ｂと上方ブラシ毛３ｂの対向部を濡らす。下方ブラシ毛２ｂと上方ブラシ毛３ｂの対向部を濡らしながら洗浄水ｗは下側ブラシ盤２の外周と筒体８ａの内周の間から下方に排出される。下方に排出された洗浄水ｗはカバー８の下面部を伝って、カバー８の下面に設けられた排水用孔８ｃよりさらに下方に流れる。カバー８の下面に設けられた排水用孔８ｃから流れた水はカバー２０の上面上に落下し、カバー２０の上面を伝ってカバー２０の下方に折曲させた外周端から水受け２１内に落下する。カバー２０の上面上のベアリングカバー１５に向かう洗浄水の流れは、カバー２０の中央の開口部周縁を上方に折曲させた折曲部分２０ａで阻止される。また、ベアリングカバー１５の上面上に洗浄水ｗが流れても、ベアリングカバー１５の上方開口部にはシール体１４が設けられているため、ベアリング１３に水が流れ込むことがないので錆などが発生しにくくしてベアリング１３の回転を長い間良好に保つことができる。水受け２１内に流れた洗浄水ｗは水受け２１に設けられた排水口２２から下方に排出される。
【００１１】
この状態でメダル投入口６よりメダルｍを投入する。投入されたメダルｍの最も下方に位置し下側ブラシ盤２に接触しているメダルｍは下側ブラシ盤２の回転による遠心力によって徐々に外周側に移動する。環状板７の下端は下側ブラシ盤２の上面との間にメダルｍが一枚通る間隔を設けているのでメダルｍは一枚ずつ外周に向って移動していく。もし、多くの量のメダルｍをメダル投入口６に入れて、外周側に位置するメダルｍが縦になった状態になって環状板７の下端と下側ブラシ盤２の間の間隔を塞いでしまった場合にも、遠心力によって縦になった状態のメダルｍの下端が外周側に移動する様に力を受ける。環状板７の下部は拡径しているので、メダルｍの下端が外周側に移動するように力を受けることで、拡径した部分にメダルが沿うようにメダルｍが傾いて、メダルの重心がズレて倒れる。又、倒れない場合でもメダルｍが環状板７の下部に沿って外周に向って徐々に移動する。倒れたメダルｍは、環状板７の下端と下側ブラシ盤２の間から一枚ずつ外周に向って移動して行く。上側ブラシ盤３は下側ブラシ盤２に対し傾斜させているので、上側ブラシ盤３と下側ブラシ盤２の間隔を大きくした部分から上方ブラシ毛３ｂと下方ブラシ毛２ｂの間にメダルｍが移動して行く。メダルｍは図４に示すように上方ブラシ毛３ｂと下方ブラシ毛２ｂに挟まれた状態で回転する下方ブラシ毛２ｂによって回転方向に移動する力を受け、固定された上方ブラシ毛３ｂによって移動しないよう摩擦力を受ける。よってメダルｍは、上方ブラシ毛３ｂから受ける摩擦力の分、下方ブラシ毛２ｂより受ける回転する力より少ない力が回転力となって移動する。メダルｍには遠心力も加わるため、外周方向に移動するが、カバー８の筒体８ａの内周に当って、それ以上外周には移動しないので、筒体８ａの内周に沿って移動する。このように、メダルｍと上方ブラシ毛３ｂ，下方ブラシ毛２ｂとの速度差によってメダルｍは表面を研磨される。さらに上方ブラシ毛３ｂと下方ブラシ毛２ｂの間では、メダル投入口６の上方に設けられた給水ホース５の端の開口より供給された洗浄水によってメダルｍ及びメダルｍの上面を研磨する上方ブラシ毛３ｂ及び下方ブラシ毛２ｂに次々と洗浄水付着する。よってメダルｍは、水で洗浄されながら移動する。また、これにより上方ブラシ毛３ｂ，下方ブラシ毛２ｂによる研磨は水研磨となる。洗浄水で洗浄されることにより汚れが落ちたり、落ちなくても水分を汚れやゴミに吸収させて落ちやすくすることができる。さらに上方ブラシ毛３ｂ，下方ブラシ毛２ｂで表面を研磨することにより、汚れを確実に落とすことができる。また、洗浄水ｗに洗浄液などを混入させれば油や脂もより効果的に落とすことができる。このようにしてメダルｍから除去された汚れ，ゴミ，油，脂は、洗浄水とともに排出される。よってメダルｍから除去された汚れ，ゴミ，油，脂がメダルｍに再付着するようなことがない。また、上方ブラシ毛３ｂ，下方ブラシ毛２ｂに水を付着させながら研磨するので、上方ブラシ毛３ｂ，下方ブラシ毛２ｂは研磨による熱を冷却され、研磨による熱によって毛先が摩耗してしまうことを妨いで摩耗を遅らせることができるので上方ブラシ毛３ｂ，下方ブラシ毛２ｂを長い間交換せずに使用することができる。このようにしてメダルｍは水洗浄・水研磨されながら筒体８ａの内周に沿って移動する。さらにメダルｍが送り部３ａ部分に移動すると、送り部３ａには、上方ブラシ毛３ｂが設けられていないので、下方ブラシ毛２ｂより受ける力が相殺されずにメダルｍに加わって、メダルｍは速い速度で回転方向で且つ遠心力によって外周に向って移動する。送り部３ａに近い位置の筒体８ａにはメダル排出口８ｂが設けられているので、メダルｍはここから外部に排出される。
【００１２】
このようなメダルｍの動きが連続して行なわれることによって、本実施例１のメダルの洗浄研磨装置では連続的にメダルを処理できる。
このようにしてメダル排出口８ｂから排出されたメダルｍはシュート１０内の搬送路を斜め下方に向って移動する。シュート１０は図５に示すように吸水シート１０ａを搬送面にしているので、メダルｍは吸水シート１０ａの上を滑るようにして斜め下方に移動して行く。この際にメダルｍに付着している洗浄水は吸水シート１０ａに吸収されて行く。よってメダルｍをこのシュート１０で下方に送ることによりメダルｍに付着した洗浄水を除去することができる。さらに吸水シート１０ａの下面に密着して水切り板１０ｂが設けられている。水切り板１０ｂは金属性であり、所定の強度を有するので吸水シート１０ａがメダルｍの重さで変形したり、しわ等ができたりしてメダルｍの搬送を妨げないようにしている。さらに水切り板１０ｂには多数の水切り孔１０ｃが設けられている。吸水シート１０ａが水を多く吸水して吸水シート１０ａの下部に洗浄水がたまった場合には、このたまった洗浄水は水切り孔１０ｃから水切り板１０ｂの下方に設けられたシュート排水路１０ｄに落ちて、シュート排水路１０ｄを流れて排水される。よって吸水シート１０ａの吸水性は良好な状態で保たれる。
シュート１０によって下方に送られたメダルｍは、収容容器に収容されて別に設けられた乾燥装置で乾燥させて再利用される。またこのシュート１０の下端に乾燥装置を連結してもよい。シュート１０の吸水シート１０ａによってメダルｍに付着した洗浄水を落としているので、その後の乾燥が短時間で済むようになる。
このように連続的にメダルの水洗浄・水研磨を行うことができ、排水するシュートでメダルに付着した洗浄水を落とすことができる実施例１のメダルの洗浄・研磨装置は遊技設備などに組み込んで使用すれば、メダルをゴミ，汚れ，油，脂の付着していない状態で循環させて使用できるので非常に有用である。
【００１３】
実施例２（図６参照）
図６に示す実施例２は、シュートの搬送面を水切り板としたメダルの洗浄研磨装置の例である。
図６は実施例２のメダルの洗浄研磨装置のシュートの断面図である。
図中、２５はシュート、２５ａは水切り板、２５ｂは水切り孔、２５ｃはシュート排水路である。
実施例２では、シュート２５の搬送面を水切り板２５ａとしている。このように水切り孔２５ｂを多数備えた水切り板２５ａ上をメダルｍが移動するようにしてメダルｍに付着した洗浄水ｗを落とすようにしてもよい。
その他符号、構成、作用、使い方は実施例１と同じである。
【００１４】
実施例３（図７参照）
図７に示す実施例３は、シュートの搬送面を吸水シートとし、その下方に排水路を設けたメダルの洗浄研磨装置の例である。
図７は実施例３のメダルの洗浄研磨装置のシュートの断面図である。
図中、２８はシュート、２８ａは吸水シート、２８ｂはシュート板、２８ｃは排水溝である。
実施例３では、シュート板２８ｂの上面に吸水面として吸水シート２８ａを設け、吸水シート２８ａの下部に吸収した洗浄水がたまった場合に、斜め下方に洗浄水を流すための排水溝２８ｃをシュート板２８ｂの上面に設けている。このように吸水シートと排水溝を用いてメダルに付着した洗浄水を落とすようにしてもよい。
【００１５】
【発明の効果】
本発明によれば、メダルに付着したゴミ，汚れ，油を確実に除去し、除去したゴミや汚れなどの再付着を防ぎ、長い間使用できるメダルの洗浄研磨装置にできる。
環状の下方ブラシ毛の上端の長さが下方ブラシ毛を植毛していない下側ブラシ盤の中央部分とほぼ同じ高さになるようにし、メダル投入口を下側ブラシ盤の中央部分の上方に設け、メダル投入口で開口した給水管を設けたので、スムーズに連続的に用いることができる。
上側ブラシ盤の中央にメダル投入口を設け、メダル投入口の周縁から下側ブラシ盤に向って拡径した環状板を設けたものは、メダル投入口から投入されたメダルがスムーズに上方ブラシ毛と下方ブラシ毛の間に移動するようにし、メダルが詰まることがないようにできる。
吸水面上でメダルを滑らせて下方に送るシュートを設け、吸水面の下方にシュート排水路を設けたものと、水切り孔を多数備えた水切り板上でメダルを滑らせて下方に送るシュートを設け、水切り板の下方にシュート排水路を設けたものと給水面上でメダルを滑らせて下方に送るシュートを設け、吸水面の下方に水切り板を設け、水切り板の下方にシュート排水路を設けたものは、メダルの乾燥時間を短かくしてメダルを効率よく再利用できるようにする。
【図面の簡単な説明】
【図１】  実施例１のメダルの洗浄研磨装置の説明図である。
【図２】  図１のＡ−Ａ断面図である。
【図３】  実施例１のメダルの洗浄研磨装置の一部拡大断面図である。
【図４】  実施例１のメダルの洗浄研磨装置の説明図である。
【図５】  実施例１のメダルの洗浄研磨装置のシュートの断面図である。
【図６】  実施例２のメダルの洗浄研磨装置のシュートの断面図である。
【図７】  実施例３のメダルの洗浄研磨装置のシュートの断面図である。
【符号の説明】
１  メダルの洗浄研磨装置
２  下側ブラシ盤
２ｂ  下方ブラシ毛
３  上側ブラシ盤
３ａ  送り部
３ｂ  上方ブラシ毛
５  給水ホース
６  メダル投入口
７  環状板
８  カバー
８ａ  筒体
８ｂ  メダル排出口
８ｃ  排水用孔
１０  シュート
１０ａ  吸水シート
１０ｂ  水切り板
１０ｃ  水切り孔
１０ｄ  シュート排水路
１２  回転軸
１３  ベアリング
１４  シール体
１５  ベアリングカバー
１６  プーリー
１７  プーリー
１８  ベルト
１９  モーター部
２０  カバー
２０ａ  折曲部分
２１  水受け
２２  排水口
２５  シュート
２５ａ  水切り板
２５ｂ  水切り孔
２５ｃ  シュート排水路
２８  シュート
２８ａ  吸水シート
２８ｂ  シュート板
２８ｃ  排水溝
３０  給水口
ｍ  メダル
ｗ  洗浄水
【図１】
0004077585.tif 000002
【図２】
0004077585.tif 000003
【図３】
0004077585.tif 000004
【図４】
0004077585.tif 000005
【図５】
0004077585.tif 000006
【図６】
0004077585.tif 000007
【図７】
0004077585.tif 000008